(57)【要約】      （修正有）【課題】可動式で使用空間を調節することができる用紙ガイド装置の提供。【解決手段】用紙ガイド装置は、トレイ左右両側に左右可動状態で配置した用紙ガイド体、調整板、位置回復バネ、プッシュ体、引張バネ、回転プッシュ体を二つずつ備える。用紙ガイド体には基板を備え、基板外側エッジの前方部には上向きの用紙ガイド部を延伸し、用紙ガイド部の下方部表面には前向きのスライド溝をあけ、スライド溝の前方部には支持体を配置する。調整板下端は基板の外側エッジの後方部に反転させて枢設可能とする。位置回復バネは用紙ガイド体と調整板の間に装着し、プッシュ体は前後スライド可能状態でスライド溝内に配置する。引張バネの一端は支持体上に引き掛けて、他端をプッシュ体上に引き掛ける。回転プッシュ体は用紙ガイド部の上部に反転可能状態で枢設し、回転プッシュ体を下に向けて反転させた時、その後方部下端が後方向にプッシュ体を押圧する。【選択図】図１
0003165931.tif 000002
【実用新案登録請求の範囲】
【請求項１】
トレイの左右両側にそれぞれを左右可動状態で配置し、基板を備え、基板外側エッジの前方部には上向きの用紙ガイド部を延伸させ、用紙ガイド部の下方部表面には前向きのスライド溝をあけ、スライド溝の前方部には溝壁二側面に連接する支持体を備える二つの用紙ガイド体と、
前記用紙ガイド体に装着し、下端は基板の外側エッジ後方部に回転可能状態で枢設する二つの調整板と、
しかも用紙ガイド体と調整板の間に装着する二つの位置回復バネと、
用紙ガイド体上に装着し、前後スライド可能状態でスライド溝内に配置される二つのプッシュ体と、
用紙ガイド体上に装着し、一端を支持体上に引き掛け、他の一端をプッシュ体上に引き掛ける二つの引張バネと、
用紙ガイド体上に装着し、反転可能状態で用紙ガイド部の上部に枢設し、下に向けて反転させた時、その後方部下端が後方向にプッシュ体を押圧する二つの回転プッシュ体とを備えることを特徴とする用紙ガイド装置。
【請求項２】
前記基板の外側エッジの後方部には、基板内側方向に軸溝を設け、軸溝の前後溝壁には更に軸着孔を設け、軸溝の溝壁の一方側には更に嵌合穴を配置し、
調整板下端には枢動孔を設け、調整板下端中央部には制御溝を設け、
前記用紙ガイド装置は更に、軸溝内に配置する枢動軸を備え、枢動軸は、枢動孔と位置回復バネと軸着孔とを通過して、調整板を基板の外側エッジ後方部に枢設し、位置回復バネは枢動軸のおよそ中央部に通し、位置回復バネの両端をそれぞれ嵌合穴と制御溝内に嵌入させることを特徴とする請求項１に記載の用紙ガイド装置。
【請求項３】
前記プッシュ体の前端下部には引掛穴を穿設し、引張バネの他の一端を引掛穴に引き掛けることを特徴とする請求項１に記載の用紙ガイド装置。
【請求項４】
前記スライド溝の中心前方部の両側溝壁にはそれぞれスライド溝内側方向に突出するガイド体を配置し、プッシュ体前端上部にはレールを設け、プッシュ体前端はレールがガイド体上にスライド可能状態で配置されているため、スライド溝内で前後スライドすることを特徴とする請求項１に記載の用紙ガイド装置。
【請求項５】
前記調整板の外側表面の前方部には制御片を垂直状態で突設し、調整板前端面は傾斜状態の案内面とし、プッシュ体後方端下部には後方向に突出するスライドプッシュ部を配置し、プッシュ体の後方端上部には制御片によって押圧されるストッパー面を形成し、スライドプッシュ部の後方端面には、案内面に組み合わせる斜面を設けることを特徴とする請求項１に記載の用紙ガイド装置。
【請求項６】
前記用紙ガイド部の前表面には、スライド溝に繋がり、上表面まで延伸する開溝を設け、開溝上部には両側の溝壁に連接する軸柱を配置し、
回転プッシュ体の後方端上部には外側に繋がる装着口を配置し、回転プッシュ体上部の装着口には軸柱を通過させることにより、回転孔を軸柱上に嵌設させることを特徴とする請求項１に記載の用紙ガイド装置。
【請求項７】
前記回転プッシュ体前方部には用紙ガイド部とフラット状態となるガイド部を連接し、ガイド部下端には内側方向に延伸し基板とフラット状態となる延伸板を備えることを特徴とする請求項１に記載の用紙ガイド装置。
【請求項８】
前記トレイの両側にはそれぞれ制御片を置くための収納溝を配置することを特徴とする請求項５に記載の用紙ガイド装置。
【請求項９】
前記用紙ガイド装置は更に、トレイ上の二つの用紙ガイド体下方に配置する二つのラックとピニオンとを備え、前記ラックが向き合う一端にはピニオンを噛合させ、何れか一つの用紙ガイド体を一方側に押し動かした時、他の用紙ガイド体は、ピニオンに押し動かされて、逆方向に動作し、これにより、用紙ガイド体の下方はラックの他の一端に嵌合することを特徴とする請求項１に記載の用紙ガイド装置。
【請求項１０】
前記トレイの二つの用紙ガイド体に対応する箇所にはそれぞれ左右に延伸する切口を設け、二つのラックが向き合う一方側には歯切り部を備え、二つのラックが向き合う他の一端には板状の嵌合部を配置し、嵌合部上には装着溝を備え、装着溝の一方側の溝エッジには、一定間隔をあけ装着溝内に向かって延伸する二つの弾性体を配置し、用紙ガイド体基板の下方には左右に延伸する嵌入板を設け、嵌入板上には二つの穴部を穿設し、
用紙ガイド体下方の嵌入板は、切口を通過しラックの嵌合部の装着溝内に嵌着され、穴部の穴壁が弾力性をもって二つの弾性体を圧して開くことにより、嵌合部上できつく嵌め込まれることを特徴とする請求項９に記載の用紙ガイド装置。
【考案の詳細な説明】
【技術分野】
【０００１】
本考案は、特に、可動式の用紙ガイド装置に関する。
【背景技術】
【０００２】
プリンター、スキャナー、コピー機、ファックス、複合機等は全て、用紙を正しく導くための用紙ガイド装置を備え、給紙過程を確実にし、用紙が曲がって起きる紙詰まり等を防いでいる。用紙ガイド機能を確実に安定化させるために、用紙ガイド装置を用紙近くを支える用紙支持面に用いることは考慮すべき重要要素であり、用紙支持面の用紙ガイドの高さ及び長さは極力大きい方がよい。
【０００３】
電子製品がマイクロ化に向けて発展する中、プリンター、スキャナー、コピー機、ファックス、複合機等の体積も益々小さくなり、それに伴い、用紙ガイド装置の使用空間も縮小している。しかし、従来の用紙ガイド装置は、一体固定式で使用空間も大きいため、電子製品のマイクロ化と用紙支持面の用紙ガイドの高さ及び長さを極力大きくする要求とを同時に満足させることはできないのが現状である。
【考案の概要】
【考案が解決しようとする課題】
【０００４】
本考案の目的は、前述技術の不足点を克服し、使用空間を調節できる可動式の用紙ガイド装置を提供することにある。
【課題を解決するための手段】
【０００５】
前記目的を達成するために、本考案の提供する用紙ガイド装置のトレイ上には、トレイ左右両側に左右可動状態で配置した二つの用紙ガイド体、用紙ガイド体上に装着した二つの調整板、二つの位置回復バネ、二つのプッシュ体、二つの引張バネ、二つの回転プッシュ体を備える。用紙ガイド体には基板を備え、基板外側エッジの前方部には上向きの用紙ガイド部を延伸し、用紙ガイド部の下方部表面には前向きのスライド溝をあけ、スライド溝の前方部の溝壁二側面には支持体を連結する。調整板下端は基板外側エッジの後方部に反転させて枢設することが可能である。位置回復バネは用紙ガイド体と調整板の間に装着する。プッシュ体は前後スライド可能状態でスライド溝内に配置する。引張バネの一端は支持体上に引き掛けて、もう一端をプッシュ体上に引き掛ける。回転プッシュ体は用紙ガイド部の上部に反転可能状態で枢設し、回転プッシュ体を下に向けて反転させた時、その後方部下端が後方向にプッシュ体を押圧する。
【考案の効果】
【０００６】
前述したとおり、本考案の用紙ガイド装置は、回転プッシュ体を反転させてプッシュ体を押し、前後にスライドさせ、調整板を押して調整板を立たせることにより、用紙ガイド体の用紙支持面の面積を延伸させ、用紙の曲がりによる紙づまりを防ぎ、用紙ガイド装置の安定性を確実にする。使用しない場合は、回転プッシュ体を持ち上げると、プッシュ体は後方へ押し出す力を失い、引き戻る引張バネにより従動されるプッシュ体は、完全にスライド溝内の元の位置に戻される。引き戻る位置回復バネにより従動される調整板は、基板と同様のフラット状態になるまで回転する。これにより、用紙ガイド装置の使用空間を縮小し、使用空間を可動式で調節する効果を達成する。
【図面の簡単な説明】
【０００７】
【図１】本考案の用紙ガイド装置の立体図である。
【図２】図１に示した用紙ガイド装置に関する一部構造の立体分解図である。
【図３】図１に示した用紙ガイド装置に関する用紙ガイド体の一部断面図である。
【図４】図１に示した用紙ガイド装置に関する調整板の立体図である。
【図５】図１に示した用紙ガイド装置に関するプッシュ体の立体図である。
【図６】図１に示した用紙ガイド装置に関する回転プッシュ体を上向きにし、調整板と基板をフラット状態にした時の立体組立図である。
【図７】図１に示した用紙ガイド装置に関する回転プッシュ体を下向きにし、調整板を立てた時の立体組立図である。
【考案を実施するための形態】
【０００８】
本考案の技術内容、構造特徴、達成する目的及び効果を詳細するために、次に図面を参照とした例により説明を行う。
【０００９】
図１乃至図３に示すとおり、本考案の用紙ガイド装置はトレイ１０上に配置する。前記用紙ガイド装置は、トレイ１０の左右両側にそれぞれを左右可動状態で配置した二つの用紙ガイド体２０、トレイ１０上の用紙ガイド体２０下面に配置したラック３０とピニオン４０、二つのラック３０を備える。前記二つのラック３０に相対する一端はいずれもピニオン４０と噛合しており、何れか一つの用紙ガイド体２０を一方側に押し動かした時、もう一つの用紙ガイド体２０は、ピニオン４０に押し動かされて、逆方向に動作する。これにより、二つの用紙ガイド体２０の間の幅を調節し、異なる幅の用紙に適応できる。
【００１０】
具体的に、トレイ１０の二つの用紙ガイド体２０に対応する箇所にはそれぞれ左右に延伸する切口１１を設け、トレイ１０の両側にはそれぞれ収納溝１２を配置する。二つのラック３０が向き合う一方側には歯切り部３１を備え、二つのラック３０が向き合う一端には前記ピニオン４０を噛合させる。二つのラック３０の他の一端には板状の嵌合部３２を配置し、嵌合部３２上には装着溝３２１を備える。装着溝３２１の一方側溝エッジには、一定間隔をあけ装着溝３２１内に向かって延伸する二つの弾性体３２２を配置する。用紙ガイド体２０には基板２１を備え、基板２１下方には左右に延伸する嵌入板２２を設け、嵌入板２２上には二つの穴部２２１を穿設し、用紙ガイド体２０下方の嵌入板２２は、切口１１を通過しラック３０一端の装着溝３２１内に嵌着される。また、穴部２２１の穴壁が弾力性をもって二つの弾性体３２２を圧して開き、嵌合部３２上できつく嵌め込まれるため、用紙ガイド体２０をスライド可能状態でトレイ１０上に装着する。
【００１１】
また、用紙ガイド体２０の基板２１の外側エッジの後方部には、基板２１内側方向に軸溝２３を設け、軸溝２３の前後溝壁には更に軸着孔２３１を設け、軸溝２３の溝壁の一方側には更に嵌合穴２３２を配置する。用紙ガイド体２０の基板２１外側エッジの前方部には上方向に延伸する用紙ガイド部２４を配置し、用紙ガイド部２４下方部の後表面には前方向のスライド溝２４１を設け、スライド溝２４１の中心前方部の両側溝壁にはそれぞれスライド溝２４１内方向に突出するガイド体２４２を配置し、スライド溝２４１の前方部には両側溝壁に連接する支持体２４３を配置する。用紙ガイド部２４の前表面には、スライド溝２４１に繋がり、上表面にまで延伸する開溝２５を設け、開溝２５上部には両側の溝壁に連接する軸柱２５１を配置する。
【００１２】
図１、図２、図７に示すとおり、用紙ガイド装置には更に、用紙ガイド体２０上に装着する二つの調整板５０、二つの回転プッシュ体６０、二つの位置回復バネ７０、二つの引張バネ８０、二つのプッシュ体９０、二つの枢動軸１００を備える。調整板５０下端には、枢動軸１００により、用紙ガイド体２０の基板２１外側エッジ後方部に回転可能状態で枢設する。プッシュ体９０は用紙ガイド体２０のスライド溝２４１内に前後スライド可能状態で配置される。回転プッシュ体６０は用紙ガイド体２０前端の用紙ガイド部２４上部に回転可能状態で枢設する。
【００１３】
図４に示すとおり、調整板５０の下端には枢動孔５１を設け、調整板５０下端中央部には制御溝５３を設け、調整板５０の外側表面の前方部には制御片５２を垂直状態で突設し、調整板５０前端面は傾斜状態の案内面５４とする。
【００１４】
図５に示すとおり、プッシュ体９０前端上部にはレール９１を設け、プッシュ体９０前端下部には引掛穴９２を穿設し、プッシュ体９０後方端下部には後方向に突出するスライドプッシュ部９３を配置し、プッシュ体９０後方端上部には制御片５２によって押圧されるストッパー面９４を形成し、スライドプッシュ部９３の後方端面には、案内面５４に組み合わせ、下から上へと前方向に傾斜する斜面９３１を設ける。
【００１５】
図２に示すとおり、回転プッシュ体６０の後端上部には回転孔６１を配置し、しかも、回転プッシュ体６０の回転孔６１の後方端には外側に繋がる装着口６１１を配置する。回転孔６１の前方部には用紙ガイド体２０の用紙ガイド部２４とフラット状態となるガイド部６２を連接し、ガイド部６２下端には内側方向に延伸し基板２１とフラット状態をなす延伸板６３を備える。
【００１６】
本考案の用紙ガイド装置を組立てる場合は、枢動軸１００を軸溝２３内に配置する。枢動軸１００は、調整板５０の枢動孔５１、位置回復バネ７０、用紙ガイド体２０の軸着孔２３１を通過して、調整板５０を用紙ガイド体２０の基板２１外側エッジ後方部に枢設する。また、位置回復バネ７０は枢動軸１００の中央部に通し、位置回復バネ７０の両端はそれぞれ用紙ガイド体２０と調整板５０の間に装着する。具体的には、用紙ガイド体２０の嵌合穴２３２と調整板５０の制御溝５３内に装着し、これにより調整板５０は、基板２１とフラット状態或いは基板２１に対して垂直状態となるまで軸回転する。プッシュ体９０の前端は、ガイド体２４２上に可動状態で配置されたレール９１によって、スライド溝２４１内を前後滑動する。引張バネ８０の一端は、用紙ガイド体２０の支持体２４３上に引き掛け、他の一端は、プッシュ体９０の引掛穴９２に引き掛ける。回転プッシュ体６０上部の装着口６１１には軸柱２５１を通過させ、回転孔６１を軸柱２５１上に嵌設する。これにより、回転プッシュ体６０は軸柱２５１を中心軸として回転する。
【００１７】
図１乃至図７に示すとおり、本考案の用紙ガイド装置の作業原理は次のとおりである。
【００１８】
回転プッシュ体６０を反転させた時、引張バネ８０は自然な状態となり、プッシュ体９０は引張バネ８０の作用を受け、完全に用紙ガイド体２０のスライド溝２４１内に置かれるまで前方向にスライドするが、プッシュ体９０の前端は、ガイド体２４２の制御を受けるため、スライド溝２４１前端へ飛び出すことはない。位置回復バネ７０が自然な状態にある時、調整板５０は位置回復バネ７０の作用を受けて、基板２１とフラット状態となるまで下方向に動き、制御片５２は収納溝１２内に延伸する。
【００１９】
回転プッシュ体６０を下方向に回転すると、回転プッシュ体６０の後方部下端は後方のプッシュ体９０を押圧し、プッシュ体９０はスライド溝２４１に沿って後方向にスライドし、引張バネ８０はその引っ張りを受ける。プッシュ体９０後端の斜面９３１が調整板５０の案内面５４を押圧すると、調整板５０はもちあがり、位置回復バネ７０は圧力を受けて、制御片５２がスライドプッシュ部９３とストッパー面９４箇所に止まり、調整板５０が基板２１に対して垂直となるまで圧縮を続ける。この時、調整板５０、用紙ガイド体２０の用紙ガイド部２４、回転プッシュ体６０のガイド部６２は平行状態となる。
【００２０】
前述したとおり、本考案の用紙ガイド装置は、回転プッシュ体６０を下にさげ、押し動かされるプッシュ体９０が後方にスライドすることにより、調整板５０を押し動かして垂直にし、用紙ガイド体２０の用紙を支える面積を延長し、紙の曲がりによる紙づまりを防ぎ、用紙ガイド装置の安定性を確実にするものである。しかも、使用しない場合は、回転プッシュ体６０を上に持ち上げると、プッシュ体９０は後方へのプッシュ力を失い、引き戻る引張バネ８０により従動されるプッシュ体９０は、完全にスライド溝２４１内の元の位置に戻される。また、引き戻る位置回復バネ７０により従動される調整板５０は、基板２１とフラット状態になるまで回転し、これにより、用紙ガイド装置の使用空間を縮小し、使用空間を可動式で調節する。
【符号の説明】
【００２１】
１０    トレイ
１１    切口
１２    収納溝
２０    用紙ガイド体
２１    基板
２２    嵌入板
２２１    穴部
２３    軸溝
２３１    軸着孔
２３２    嵌合穴
２４    用紙ガイド部
２４１    スライド溝
２４２    ガイド体
２４３    支持体
２５    開溝
２５１    軸柱
３０    ラック
３１    歯切り部
３２    嵌合部
３２１    装着溝
３２２    弾性体
４０    ピニオン
５０    調整板
５１    枢動孔
５２    制御片
５３    制御溝
５４    案内面
６０    回転プッシュ体
６１    回転孔
６１１    装着口
６２    ガイド部
６３    延伸板
７０    位置回復バネ
８０    引張バネ
９０    プッシュ体
９１    レール
９２    引掛穴
９３    スライドプッシュ部
９３１    斜面
９４    ストッパー面
１００    枢動軸    
【図１】
0003165931.tif 000003
【図２】
0003165931.tif 000004
【図３】
0003165931.tif 000005
【図４】
0003165931.tif 000006
【図５】
0003165931.tif 000007
【図６】
0003165931.tif 000008
【図７】
0003165931.tif 000009